(57)【要約】【課題】回転扉の回転部分の戸板の一部に可撓性または可動性のある板の部分を用いることで、回転扉の安全性を向上させた。【解決手段】回転扉の３枚以上、主として４枚の回転部分の戸板を、硬質の板と可撓性または可動性のある板より構成させ、もし、回転部分の戸板と、固定部分の半円板の間に、人間の全部またはその一部が進入して、両者の間に挟まれるような状態になったとき、可撓性または可動性のある板が折れ曲がり、挟まれている物体の損傷が生じないようにした回転扉の安全装置。  また、可撓性のある板が、折れ曲がったことを検出するセンサを備えることを加えた回転扉の安全装置【選択図】図１
2005290960.tif 000002
【特許請求の範囲】
【請求項１】
建物の出入口に設置される、回転軸を中心に回転軸から放射状に接続させた３枚以上、主として４枚の回転部分の戸板と、回転部分の戸板と接する固定部分の半円板からなる回転扉において、それぞれの回転部分の戸板は回転軸から見て、回転軸に接続する硬質の材質を有する板からなる基本部分と、前記基本部分に接続して、前記固定部分の半円板に先端で接する可撓性のある材質を有する板か、または可動性のある硬質の材質を有する板からなる先端部分によって構成され、前記基本部分と、前記先端部分の間に、前記先端部分が折れ曲がることを可能にする接続箇所を持つことを特徴とする回転扉の安全装置
【請求項２】
前記基本部分と、前記先端部分が折れ曲がることを検出するセンサを備えた、請求項１に記載した回転扉の安全装置
【発明の詳細な説明】
【技術分野】
【０００１】  この発明は建物の出入口に設置される回転扉の固定部分の半円板と回転部分の戸板の間隔が、ある回転角において、狭い状態になったとき、前記両者の間に人間の全部または一部が進入して、さらに回転が継続して、前記両者の間に挟まれたとき、人間が損傷をこうむるような圧力を受けないようにした回転扉の安全装置に関する。
【背景技術】
【０００２】  建物の入り口に回転扉が使われている。回転扉は外部の強風の影響を受けない、冷暖房の動作中、外気との遮断性が良い、などに利点があるので、普及している。一般に良く知られた小型のものは、回転部分に入れる人間は一人で、扉は手動で回転させる。この場合、予想外の箇所に人間の全部あるは一部が入ったとしても、人力で即時に回転部分を停止できるので、人間を損傷させる危険は殆どなかった。しかし、最近は回転部分の二枚の戸板の間の面積が広くなり、多数の人間が一度に回転部分に入れる大型の構造が普及してきた。それに従い、回転部分の重量が増大したので、回転と停止に電力などの動力源を用いるようになった。このような大型の回転扉では、通常、人間は二枚の回転部分の戸板が作る空間で、固定部分の半円板から少し離れた箇所に入り、回転部分の戸板の回転と共に移動して、回転扉を通過する。しかし、回転部分の戸板が固定部分の半円板の近接し、両者の間隔が狭くなった状態のとき、もし、この部分に人間の全部または一部が入り、さらに回転部分の戸板が回転を継続した場合、前記人間を前記回転部分の戸板と固定部分の半円板の間に挟む恐れがある。  挟むのを避けるため、挟まれる恐れのある場所に人間の全部または一部が進入したとき、その存在を検出するセンサを備え、回転を停止させる構造が採用されている。しかし、人間の体格は多種類であり、人間の活動は様々な形態を呈するので、あらゆる進入状態を完全に検出することは困難である。また、回転扉の運動特性にも課題がる。すなわち、回転部分は重い重量物であるから、運動中は大きな運動エネルギーを持っているので、停止命令が発生した後、すぐ停止させるためには短時間の間に、この運動エネルギーを消耗させるか、等価の逆方向のエネルギーを加えなければならない。この停止動作のため、回転扉の駆動は回転軸よりなされるが、ここで、さらに課題は回転部分の戸板の先端の位置の移動距離に関して、回転扉の寸法が大きくなるにつれて、回転軸の僅かな角度の移動で、回転部分の戸板の先端の移動距離を長くなることである。従って、回転部分の回転を回転軸から駆動して行い、停止も回転軸から行うとするなら、回転の動力源と回転軸の間にある、角度の不感帯、例えば、ギヤのバックラッシュなど、の影響も、回転扉の大型化につれて極力抑制する必要がある。
実際に平成１６年３月２６日、東京都港区六本木６丁目、六本木ヒルズ森タワー２階の正面入り口の設置されている回転扉の回転部分と、固定部分に挟まれた死亡事故が発生した。
【非特許文献１】  平成１６年３月２６日、毎日新聞、東京版夕刊記事
【発明の開示】
【発明が解決しよとしている課題】
【０００３】  図４は従来の、主として用いられている４枚扉の回転扉の構造を示している。３０は固定部分の半円板、３１は回転部分の戸板、３２は回転軸、３３は接近開始部分、３４は回転方向、３５は壁、３６は入口、３７は出口である。回転扉の通常の使い方は、回転部分の二枚の戸板３１が入口３６の方向に大きく開かれているとき、人間が入り、回転軸３２を中心に回転部分の戸板３１が回転方向３４に回転し、人間も共に移動して、回転部分の戸板３１が１８０度回転したとき出口３７に達し、人間が通過するようになっている。
【０００４】  回転部分の戸板３１が固定部分３０に近接するとき、近接開始部分３３では人間が入り込める空間、特に体格の小さな子供などが入れる空間があり、前記空間は回転部分の戸板３１が固定部分と接する領域に達するに従い狭くなっている。回転扉の容量が一人用で、手動で回転させる型にあっては、回転部分の戸板と固定部分の間に人間が挟まっても、簡単に人力で回転を停止させ、脱出が容易であった。しかし、最新回転扉が大型化して、一時に多数の人間が回転扉を通過する型が普及してきた。このような大型の回転扉の場合、二枚の回転部分の戸板３１が作る空間は広いため、人間は様々な箇所に位置を占める可能性がある。特に回転扉の戸板３１の固定部分３１に近い部分で、近接開始部分３３に達する少し前に人間が入り込んだとし、この危険状況を検出できなかった、あるいは検出しても、検出から停止までの間の時間遅れがあったとするなら、するなら、さらに回転が進むと、人間は回転部分の戸板３１と回転部分の半円板３０に間に挟まれ、強い圧迫を受け、損傷するが考えられる。
【０００５】  この発明では回転部分の戸板３１と固定部分３０の間隙に人間が入り込み、前期物体が回転部分の戸板３１と固定部分３０の間に接するような状態が発生したとしても、人間が損傷するような大きな圧力を受けないようにすると共に、さらに、前記人間が回転部分の戸板に接触することを検出して、回転を停止させる機能を含めて、回転扉の危険を防止することを課題とする。
【課題を解決するための手段】
【０００６】  上記課題は以下の特徴を有する本発明によって達成される。すなわち、請求項１に記載した発明は、建物の出入口に設置される、回転軸を中心に回転軸から放射状に接続させた３枚以上、主として４枚の回転部分の戸板と、回転部分の戸板と接する固定部分の半円板からなる回転扉において、それぞれの回転部分の戸板は回転軸から見て、回転軸に接続する硬質の材質を有する板からなる基本部分と、前記基本部分に接続して、前記固定部分の半円板に先端で接する可撓性のある材質を有する板か、または可動性のある硬質の材質を有する板からなる先端部分によって構成され、前記基本部分と、前記先端部分の間に、前記先端部分が折れ曲がることを可能にする接続箇所を持つことを特徴とする。
【０００７】  請求項２の発明は、請求項１に記載した回転扉の安全装置に、前記基本部分と、前記先端部分が折れ曲がることを検出するセンサを備えることを特徴とする。
【発明の効果】
【０００８】  この発明により、回転扉の回転部分の戸板３１と固定部分の半円板３０との間に人間が入ったとき、人間が損傷するような圧力がかからないようにし、危険を防止する。
【発明を実施する最良の形態】
【０００９】  回転部分の戸板３１の一部に可撓性または可動性のある板を設け、回転３０の間に挟まった人間の全部または一部が損傷するような圧力が負荷されないようにすると同時に、回転部分の戸板３１の一部である前記可撓性または可動性のある板が変移したことを検出して、回転部分の戸板３１回転の停止させることを実現した。
【実施例】
【００１０】  図１はこの発明に係る回転扉の構成を示した。上部の図は回転扉を天井の方から下に眺めた図である。下部の図は回転扉を側面から眺めた図である。両図面の同一部分は点線で繋いで示している。１は固定部分の半円板、２は回転部分の戸板、３は回転軸、４は接続箇所、５は壁、６は入口、７は出口、８は回転方向、９は近接開始部分である。回転扉は回転軸３を中心に放射状に回転部分の戸板２が４枚取り付けられ、固定部分の半円板１に囲まれるように構成され、さらに、外部では壁５で入口６、出口７が分離されている。回転は頂上から見て、反時計周り８と想定する。なお、入口６と出口７は当然、逆の利用も成り立つ。【００１１】  図２はこの発明に係る回転部分の戸板２の内部の構造を示した。上部の図は回転扉を天井の方から下に眺めた図である。下部の図は回転扉を側面から眺めた図である。両図面の同一部分は点線で繋いで示している。１０は基本部分、１１は先端部分、１２は変移センサ、１３は固定部分の半円板に接する側、１４は回転軸に接続する側である。回転部分の戸板２は基本部分１０、先端部分１１、両者の接続する部分の取り付けられた変形センサ１２より構成され、前記基本部分１０と前記先端部分１１は接続箇所４で折れ曲がる自由度が与えられるように接続され、固定部分の半円板に接する側１３で固定部分の半円板１に接し、回転軸と接続する側１４で回転軸３と接続する。基本部分１０は従来の回転部分の戸板３１と同様な硬質の材質の板である。先端部分１１は可撓性のある材質の板か、可動性のある硬質の材質の板であって、接続箇所４を中心にして、−Ｙ方向から力が加わったとき、Ｙ方向に折れ曲がる構造を有する。変形センサ１２が折れ曲がる現象が発生したとき、折れ曲りを検出する。【００１２】  図３はこの発明に係る回転部分の戸板２の折れ曲がっている状態をａの場合と、ｂの場合で示す。先端部分１１は−Ｙ方向から力を受けたとき、ａの場合、接続部分４を中心にして、接続部分４より可撓性のある折れ曲がりを行い、ｂの場合、接続部分４を中心にして、接続部分４より可動性のある折れ曲がる構造を持つ。【００１３】  回転扉において、この発明に係る、回転部分の戸板２を備えることにより、回転部分の戸板２が回転して、固定部分１に近づく近接開始部分９に達したとき、回転部分の戸板２と固定部分の半円板１の間に人間の全部または一部が進入し、回転部分の戸板２と固定部分の半円板１の間に挟まれたとき、回転部分の戸板２の先端部分１１が折れ曲がることにより、人間が損傷を生じないようにさせると共に、接続箇所４の近辺に取り付けられた変移センサ１２が前記回転部分の戸板２の先端部分１１の折れ曲がりを検出して、回転の停止の作動を起動させることが可能である。なお、変移センサは実際に、回転部分の戸板の可撓部が折れながる状態を検出したときの状態を検出するが、人間を含む物体が近接開始部分３３の領域の接近することを検出して、停止命令を発生する他のセンサを併用することが、安全度を高めるため、効果的である。
【産業上の利用可能性】
【００１４】回転扉にこの発明の原理を適応することにより、危険防止に資する。
【図面の簡単な説明】
【００１５】
【図１】実施例に係る回転扉の構造を示した図である。
【図２】実施例に係る回転部分の戸板の構造を示した図である。
【図３】実施例に係る回転部分の戸板の折れ曲がる動作状況を示した図である。
【図４】従来の回転扉の構成を示した図である。
【符号の説明】
【００１６】１  固定部分の半円板
２  回転部分の戸板
３  回転軸
４  接続箇所
５  壁
６  入口
７  出口
８  回転方向
９  近接開始部分
１０  基本部分
１１  先端部分
１２  変移センサ
１３  固定部分の半円板と接する側
１４  回転軸と接続する側
３０  固定部分の半円板
３１  回転部分の戸板
３２  回転軸
３３  近接開始部分
３４  回転方向
３５  壁
３６  入口
３７  出口
【図１】
2005290960.tif 000003
【図２】
2005290960.tif 000004
【図３】
2005290960.tif 000005
【図４】
2005290960.tif 000006